(57)【要約】  錠組立体が、ハウジングと、コア組立体と、リテーナとを含む。ハウジングは、ハウジングを通るボアによって定められる軸線に対してほぼ横断方向に配置され、コア・リテーナ溝に対応するハウジング・リテーナ溝を含む。コア組立体がボア内に取り付けられたとき、これらのリテーナ溝が位置合わせされる。リテーナを溝内に挿入し、該リテーナのブリッジ部分が係合形状構成に係合されて該リテーナを固定し、これによりコア組立体がハウジング内に取り付けられるようにする。
2007526415.tif 000002
【特許請求の範囲】
【請求項１】
軸線を定めるハウジングと、
前記軸線に沿って前記ハウジング内に受けることができるコア組立体と、
前記軸線に対し横断方向に設けられ、該ハウジング及び該コア組立体と係合可能で、前記コア組立体を前記ハウジング内に保持するリテーナと、
を備えることを特徴とする錠組立体。
【請求項２】
前記コア組立体は、前記ハウジングの前部内に少なくとも部分的に受けられるフランジを含むことを特徴とする請求項１に記載の錠組立体。
【請求項３】
前記ハウジングは、前記軸線とほぼ平行な溝を備え、前記コア組立体は、該ハウジングに対して該コア組立体の回転を防止するために、前記溝内に受けることができるコア組立体拡張部分を備えることを特徴とする請求項１に記載の錠組立体。
【請求項４】
前記ハウジングは、前記リテーナを受けるために、前記軸線を横断するハウジング・リテーナ溝を定めることを特徴とする請求項１に記載の錠組立体。
【請求項５】
前記コア組立体は、前記リテーナを受けるために、前記軸線を横断するコア組立体リテーナ溝を定めることを特徴とする請求項４に記載の錠組立体。
【請求項６】
前記リテーナがほぼＵ形状であることを特徴とする請求項１に記載の錠組立体。
【請求項７】
前記リテーナは、第１の脚部と、第２の脚部と、前記第１の脚部と前記第２の脚部との間のブリッジ部分とを備えることを特徴とする請求項１に記載の錠組立体。
【請求項８】
前記ブリッジ部分を通って配置されるアパーチャをさらに備えることを特徴とする請求項７に記載の錠組立体。
【請求項９】
前記ハウジングは、リテーナ・クリップを前記ハウジング内に保持するために、前記アパーチャと係合可能なリテーナ係合形状構成を備えることを特徴とする請求項８に記載の錠組立体。
【請求項１０】
前記リテーナ係合形状構成は、角度がついた戻り止めを備えることを特徴とする請求項９に記載の錠組立体。
【請求項１１】
軸線を定めるハウジングと、
前記軸線に沿って前記ハウジング内に受けることができ、該ハウジングに係合して、コア組立体を該軸線に沿って所定の距離をおいて配置するフランジを含むコア組立体と、
前記コア組立体を前記ハウジング内に保持するために該ハウジング及び該コア組立体と係合可能であり、前記軸線を横断するハウジング・リテーナ溝及びコア組立体リテーナ溝を用いて受けることができるリテーナと、
を備えることを特徴とする前面取り付け式錠組立体。
【請求項１２】
前記リテーナがほぼＵ形状であることを特徴とする請求項１１に記載の前面取り付け式錠組立体。
【請求項１３】
前記リテーナは、第１の脚部と、第２の脚部と、前記第１の脚部と前記第２の脚部との間のブリッジ部分とを備えることを特徴とする請求項１１に記載の前面取り付け式錠組立体。
【請求項１４】
前記ブリッジ部分を通って配置されるアパーチャをさらに備えることを特徴とする請求項１３に記載の前面取り付け式錠組立体。
【請求項１５】
前記ハウジングは、前記リテーナ・クリップを前記ハウジング内に保持するために、前記アパーチャと係合可能なリテーナ係合形状構成を備えることを特徴とする請求項１４に記載の前面取り付け式錠組立体。
【請求項１６】
前記リテーナ係合形状構成は、角度がついた戻り止めを備えることを特徴とする請求項１５に記載の前面取り付け式錠組立体。
【請求項１７】
コア組立体を錠組立体のハウジング内に取り付ける方法であって、
（ａ）前記コア組立体を軸線に沿って前記ハウジングのボア内に挿入し、
（ｂ）ハウジング・リテーナ溝及びコア組立体リテーナ溝を位置合わせし、
（ｃ）リテーナを、前記軸線を横断する前記ハウジング・リテーナ溝及び前記コア組立体リテーナ溝内に挿入し、
（ｄ）前記リテーナを前記ハウジングに選択的に固定する、
ステップを含むことを特徴とする方法。
【請求項１８】
前記ステップ（ｄ）は、前記リテーナを通るアパーチャを、前記ハウジングから延びるリテーナ係合形状構成と位置合わせするステップをさらに含むことを特徴とする請求項１７に記載の方法。
【請求項１９】
前記ステップ（ｄ）は、前記リテーナ内のアパーチャを少なくとも部分的に通って前記ハウジングから延びる係合用戻り止めを付勢するステップをさらに含むことを特徴とする請求項１７に記載の方法。
【請求項２０】
前記ステップ（ａ）は、前面を通して前記コア組立体を前記ハウジング内に挿入するステップをさらに含むことを特徴とする請求項１７に記載の方法。
【発明の詳細な説明】
【技術分野】
【０００１】
本発明は、錠組立体に関し、より具体的には、錠ハウジング内へのコア組立体のための取り付け構成に関する。
【背景技術】
【０００２】
非常に多くのタイプの従来の鍵組立体が、様々な用途のために用いられている。住宅及び商業施設は、主として、鍵作動式ピンタンブラー錠によって保護される。典型的な錠においては、コア組立体が、長手方向に延びる鍵穴を有する円筒型回転プラグを収容する。カムのような駆動部材が、プラグの後面に連結される。駆動部材は、ボルト連結機構又はラッチ移動機構を作動させる。
【０００３】
プラグとコアとの間の境界面は、シヤーラインと呼ばれる。半径方向に延びる複数の平行なチャンバが、コア及びプラグ内に形成される。ばね付勢されたピンが、各チャンバ内に配置される。通常の状態で、駆動装置は、シヤーラインをブロックし、プラグがコアに対して回転するのを防止する。しかしながら、適切に構成された鍵が鍵穴に挿入されたとき、駆動装置及び下部ピンが移動され、該下部ピンの上部と該駆動装置の下部が、シヤーラインで接触する。次に、プラグを回転させて、駆動部材を回転させ、続いてボルト又はラッチを後退又は拡張させることができる。
【０００４】
鍵屋は、住宅用錠又は商業用錠を付け替える又は置き換えることが多い。このため、交換可能なコア組立体が、種々の錠製造者によって製造されている。不利なことに、交換可能なコア組立体は、比較的複雑なものである。一般に、交換可能なコア組立体は、単一の製造者からのものであっても、特定の錠タイプに特有のものであり、特有の取り付け構造体を含んでいる。例えば、ノブ式錠組立体、レバー式錠組立体、及びデッドボルト式錠組立体の各々は、それぞれノブ、レバー、及びデッドボルトに特有のコア組立体を使用する。こうした構成は、住宅用錠及び商業用錠の付け替え及び置き換えを複雑にしている。
【０００５】
したがって、容易に多数の錠タイプに取り付けられる、コア組立体のための取り付け構成を提供することが望ましい。
【発明の開示】
【０００６】
本発明による錠組立体は、ハウジングと、コア組立体と、リテーナとを含む。ハウジングは、コア組立体を支持し、保護する。リテーナは、２本の脚部とそれらの間のブリッジ部分とを有する、ほぼＵ形状の部材である。
【０００７】
ハウジングは、該ハウジングを通るボアによって定められる軸線に対してほぼ横断方向に配置されたハウジング・リテーナ溝を含む。このハウジング・リテーナ溝は、コア・リテーナ溝に対応する。コア組立体がボア内に取り付けられたとき、これらのリテーナ溝が位置合わせされる。リテーナを溝内に挿入し、ブリッジ部分が係合形状構成に係合されて該リテーナを溝内に固定し、これによりコア組立体がハウジング内に取り付けられるようにする。
したがって、本発明は、多数の錠タイプに容易に取り付けられる、コア組立体のための複雑でない取り付け構成を提供するものである。
【発明を実施するための最良の形態】
【０００８】
当業者には、本発明の種々の特徴及び利点が、現在好ましい実施形態の以下の詳細な説明から明らかになるであろう。詳細な説明に伴う図面を下記のように簡単に説明することができる。
【０００９】
図１は、錠組立体１０の一般的な分解斜視図を示す。錠組立体は、一般に、ハウジング１２と、コア組立体１４と、リテーナ１６とを含む。示される実施形態において特定の部品構成が開示されるが、他の構成も本発明の利益を享受することを理解すべきである。
ハウジング１２は、コア組立体１４を支持し、保護する。ハウジング１２は、ファスナ等が該ハウジング１２を構造体に固定するための開口部１７を含む。開示された実施形態においては、デッドボルト式ハウジングが示されているが、レバー又はノブのような他の錠組立体のための他のハウジングも本発明の利益を享受することを理解すべきである。
【００１０】
ハウジング１２は、前面１３及び後面１８を含む。「前方」、「後部」、「上部」、「下部」、「上方」、「下方」等のような相対的位置の用語は、通常の作動姿勢に関するものであり、他の方法で制限するものと考えるべきではない。長手方向に延びるボア２０は、前面１３及び後面１８を貫通して開口し、軸線Ａを定める。細長い開口溝２２が、軸線Ａとほぼ平行なボア２０内に形成される。溝２２は、前面１３及び後面１８を貫通して開口し、かつ、軸線Ａと平行であることが好ましい。溝２２内の陥凹面２８は、ボア２０の周囲の周りに延びる。
コア組立体１４は、バレル３０及び回転可能な錠コア３２を含む。鍵の挿入を可能にするために、鍵穴３４が錠コア３２の前面３５内に定められ、錠コア３２を回転させ、錠を作動させ得るようにする。ピンの構成に対する鍵の作動は、様々な従来の形態を取ることができ、ここで詳細に説明する必要はない。
【００１１】
コア組立体の拡張部分３６が、コア組立体１４から延びる。この拡張部分３６は、溝２２に係合し、ハウジング１２及びコア組立体１４の相対的な回転を防止するように、バレル３０の一部として形成されることが好ましい。拡張部分３６は又は、コア組立体１４をボア２０内に案内するのも助ける。拡張部分３６を１つ又はそれ以上の部分内に形成し、好ましくは、コア組立体１４の長手方向長さに沿ってレール構造体を形成することができる。様々な拡張部分の形状及び構成が、本発明の利益を享受することを理解すべきである。
作動部材２４が、錠コア３２の後部３８内に配置され（図２）、ラッチ・ボルト（図示せず）を通って延びる作動プレート（図示せず）に係合する（作動部材２４は、従来のものであり、ここに詳細に説明する必要はない）。
周方向のフランジ４０（図２）が陥凹面２８内に受けられ、コア組立体１４のハウジング１２内への軸方向の挿入深さを制御する。
【００１２】
図２を参照すると、ハウジング１２は、軸線Ａに対してほぼ横断方向に配置されたハウジング・リテーナ溝４２を含む。このハウジング・リテーナ溝４２は、軸線Ａに対して横断方向に配置されたコア組立体リテーナ溝４４に対応する。コア組立体リテーナ溝４４は、拡張部分３６を通って横断方向に形成されることが好ましい。
コア組立体１４がボア２０内に取り付けられたとき、リテーナ溝４２、４４が、周方向フランジ４０及び座ぐり２８の相互作用によって位置合わせされる（図４）。つまり、コア組立体１４は、周方向のフランジ４０が座ぐり２８に係合し、リテーナ溝４２、４４が位置合わせされるまで、ボア２０内に押し込まれる。
【００１３】
図３を参照すると、好ましくは、リテーナ１６が、ほぼ平坦なＵ形状の部材として形成される。他の形状も本発明の利益を享受することを理解すべきである。リテーナ１６は、第１の脚部４６、第２の脚部４８、及びこれらの脚部間のブリッジ部分５０を含む。各々の脚部４６、４８は、これらの脚部の端部に、リテーナ１６の溝４２、４４内への取り付けを助けるためのベベル５１を含むことが好ましい（図５）。ブリッジ部分５０は、アパーチャ５２を含むことが好ましい。
【００１４】
図４を参照すると、ブリッジ部分５０が、リテーナ係合形状構成５４のすぐ上になるように、リテーナ１６が、溝４２、４４内に部分的に挿入されている。リテーナ係合形状構成５４は、ハウジング１２の上部に沿って形成されることが好ましく、該ハウジング１２の後面１８の方向に延びる。
図６を参照すると、リテーナ係合形状構成５４は、付勢された戻り止め５６を含む。この付勢された戻り止め５６は、軸線Ａと平行に配置される。
【００１５】
図７を参照すると、リテーナ１６が溝４２、４４内に押し込まれたとき、該リテーナ１６のブリッジ部分が戻り止め５６に係合する。戻り止め５６の固有な形状が、リテーナ１６のブリッジ部分が、形状構成６１上にある位置に摺動することを可能にする。リテーナ１６は、アパーチャ５２が戻り止め５６と位置合わせされるまで、溝４２、４４内に押し込まれる。アパーチャ５２が戻り止め５６と位置合わせされると、戻り止め５６がリテーナ１６を溝４２、４４内に固定し、これによりコア組立体１４がハウジング１２内に取り付けられる。コア組立体１４を取り外すために、アパーチャ５２が戻り止め５６を通過するのを可能にする角度でリテーナ１６を持ち上げ、該リテーナ１６を取り外す。
【００１６】
上記の説明は、制限によって定められるものではなく、例示的なものである。上記の教示を鑑みて、多くの修正及び変形が可能である。本発明の好ましい実施形態が開示されたが、当業者であれば、特定の修正が本発明の範囲内に入ることを認識するであろう。したがって、添付の特許請求の範囲内で、本発明を具体的に説明されたもの以外の方法で実施できることを理解すべきである。よって、本発明の真の範囲及び内容を判断するために、上記の特許請求の範囲を研究すべきである。
【図面の簡単な説明】
【００１７】
【図１】本発明による錠組立体の前から見た分解図である。
【図２】本発明による錠組立体の後ろから見た分解図である。
【図３】リテーナの平面図である。
【図４】リテーナが部分的に取り付けられた、本発明による錠組立体の後ろから見た分解図である。
【図５】図４の拡大図である。
【図６】リテーナ係合部材の断面図である。
【図７】リテーナが取り付けられた、本発明による錠組立体の後ろから見た斜視図である。
【図８】図７の拡大図である。
【図１】
2007526415.tif 000003
【図２】
2007526415.tif 000004
【図３】
2007526415.tif 000005
【図４】
2007526415.tif 000006
【図５】
2007526415.tif 000007
【図６】
2007526415.tif 000008
【図７】
2007526415.tif 000009
【図８】
2007526415.tif 000010
【国際調査報告】
2007526415.tif 000011